(57)【特許請求の範囲】
【請求項１】
被検体に関連付けられた画像データの送信が完了したことを示すアーカイブマークを、付与するためのマーク付与条件の設定を記憶する条件記憶部と、
ユーザからの画像データの送信要求を受け付ける送信要求受付部と、
前記送信要求に基づいて、対応する画像データを他の装置へ送信する画像送信部と、
前記送信要求が前記マーク付与条件を満たしていたとき、前記被検体に関連づけられた検査リストに前記アーカイブマークを付与するマーク付与部と、
前記アーカイブマークが付与された前記検査リストを表示部に表示させる表示制御部と、
を備え、
前記条件記憶部は、
前記画像データの送信先の処理装置が使用可能な画像データのマトリックスサイズについて、高精細な画像を示す高精細画像サイズと通常サイズとを区別して、前記マーク付与条件を形成するアーカイブマーク付与条件リストを有し、
前記マーク付与部は、
前記アーカイブマーク付与条件リストを参照して、前記送信要求が前記マーク付与条件を満たしていたときに前記アーカイブマークを付与し、
前記表示制御部は、
前記高精細画像サイズと前記通常サイズとを視覚的に区別して、前記アーカイブマークが付与された前記検査リストを前記表示部に表示させる、
医用画像処理装置。
【請求項２】
前記マーク付与条件は、
前記画像データの解像度または分解能の少なくとも１つに関する条件を含む
請求項１に記載の医用画像処理装置。
【請求項３】
前記表示制御部は、
前記送信要求が前記マーク付与条件を満たしており、かつ前記検査リストに割り当てられた削除条件に合致する場合には、送信した前記画像データについて削除可能である旨を前記表示部に表示させる
請求項１または２に記載の医用画像処理装置。
【請求項４】
前記アーカイブマークが付与された前記検査リストにおける前記画像データに対して、その画像データの削除要求を受け付けた場合、
前記表示制御部は、
前記削除要求を受け付けた前記画像データについて、その画像データの削除を実行するために必要な前記アーカイブマークが付与されているべき削除条件を表示する
請求項１から３のいずれか１項に記載の医用画像処理装置。
【請求項５】
前記送信要求受付部は、
前記送信要求を受け付ける際、前記アーカイブマーク付与条件リストを参照して、前記送信要求が前記マーク付与条件を満たすように前記送信要求を受け付ける
請求項１ないし４のいずれか１項に記載の医用画像処理装置。
【請求項６】
前記マーク付与部は、
画像データにおいて関心領域として指定された画像がその画像データから切り出されて送信された場合、または送信された画像データによりレポートが作成された場合は、前記検査リストに前記アーカイブマークを付与する
請求項１から５のいずれか１項に記載の医用画像処理装置。
【請求項７】
前記条件記憶部は、
前記画像データの種類または部位ごとに、前記アーカイブマークを付与するための前記マーク付与条件の設定を記憶する
請求項１から６のいずれか１項に記載の医用画像処理装置。
【請求項８】
１つのボリュームデータにおいて複数の部位を有している場合、
前記条件記憶部は、
前記複数の部位のそれぞれの部位に前記アーカイブマークを付与するための前記マーク付与条件を記憶する
請求項１から６のいずれか１項に記載の医用画像処理装置。
【請求項９】
前記条件記憶部は、
前記アーカイブマークを付与するための前記マーク付与条件を自動的に更新する
請求項１から８のいずれか１項に記載の医用画像処理装置。
【発明の詳細な説明】
【技術分野】
【０００１】
本発明に係る実施形態は、医用画像処理装置に関するものである。
【背景技術】
【０００２】
近年、医用画像撮像装置において、技術の進歩に伴って高精細な画像（ハイレゾ画像：High Resolution画像）による撮影が可能となっている。このため、高精細な画像データを用いることにより、従来では得られなかった微細な臨床情報を得られるようになった。
【０００３】
また、医用画像撮像装置において撮影された画像データは、その医用画像撮像装置から外部に転送される。そして、画像データが外部の装置に転送されると、アーカイブマークというマークが医用画像撮像装置の検査リストに付与される。
【０００４】
アーカイブマークとは、例えば、保管が必要な画像データを医用画像撮像装置から外部の装置に複製物の転送や送信を行い、外部の記憶装置などに保存したことを印すマークを意味している。このようなアーカイブマークが付与された場合には、画像データの複製物が外部の装置に保管されていることを示しているので、その画像データを医用画像撮像装置から削除可能であると判断をすることができる。
【０００５】
ここで、画像データの削除に関し、従来では、データのバックアップに関するサービスが検討されていた。例えば、データのバックアップに関連して、携帯情報端末がバックアップ用のプログラムを実行し、バックアップの対象のデータをバックアップサーバに送信するものが提案されている（特許文献１参照）。
【先行技術文献】
【特許文献】
【０００６】
【特許文献１】特開２００３−１８９３６２号公報
【発明の概要】
【発明が解決しようとする課題】
【０００７】
医用画像撮像装置では、従来の通常の画像データに加え、さらに高精細な画像データを生成することができるようになったが、画像データの転送先（送信先）によっては高精細な画像データを取り扱うことができない装置も存在する。
【０００８】
また、高精細な画像データは、通常の画像データと比較してデータ量が膨大であるため、画像データの転送先（送信先）によっては、転送に時間を要したり、画像データを記憶する記憶容量が不足してしまう、という問題も生じ得る。
【０００９】
さらに、転送先（送信先）の装置の仕様に合わせて、高精細な画像データと通常の画像データとを区別して転送したとしても、従来の医用画像撮像装置では高精細な画像データと通常の画像データとを区別してアーカイブマークを付与することができないため、一律にアーカイブマークが付されてしまうおそれがある。
【００１０】
このように、高精細な画像データを撮像することができるようになったことに伴って、高精細の画像データを転送したのか通常の画像データを転送したのか、医用画像撮像装置における検査リスト上では、アーカイブマークを識別することができない、という問題がある。
【課題を解決するための手段】
【００１１】
本実施形態の医用画像処理装置は、上述した課題を解決するために、被検体に関連付けられた画像データの送信が完了したことを示すアーカイブマークを、付与するためのマーク付与条件の設定を記憶する条件記憶部と、ユーザからの画像データの送信要求を受け付ける送信要求受付部と、前記送信要求に基づいて、対応する画像データを他の装置へ送信する画像送信部と、前記送信要求が前記マーク付与条件を満たしていたとき、前記被検体に関連づけられた検査リストに前記アーカイブマークを付与するマーク付与部と、前記アーカイブマークが付与された前記検査リストを表示部に表示させる表示制御部と、を備える。
【図面の簡単な説明】
【００１２】
【図１】第１の実施形態に係る医用画像収集装置を備えるＸ線ＣＴ装置について、画像データ転送システムを示した概略構成図。
【図２】第１の実施形態に係る医用画像収集装置を備えるＸ線ＣＴ装置の機能を示す機能ブロック図。
【図３】第１の実施形態に係る医用画像収集装置の構成を示すハードウエアブロック図。
【図４】第１の実施形態に係る医用画像収集装置が、検査リストにアーカイブマークを付与するアーカイブマーク付与処理を示したフローチャート。
【図５】医用画像収集装置の条件記憶部が受け付けたアーカイブマークを付与するためのマーク付与条件を示したアーカイブマーク付与条件リストの説明図。
【図６】第１の実施形態に係る医用画像収集装置が、表示部に検査リストを表示した場合の説明図。
【図７】第２の実施形態に係る医用画像収集装置が、検査リストにアーカイブマークを付与するアーカイブマーク付与処理を示したフローチャート。
【図８】第２の実施形態に係る医用画像収集装置の画像送信部が、画像データを送信する際に、表示部に送信条件を表示した送信確認ダイアログを示す説明図。
【図９】第３の実施形態に係る医用画像収集装置の条件記憶部において、ＲＯＩ指定という欄を追加したアーカイブマーク付与条件リストを示した説明図。
【図１０】第３の実施形態に係る医用画像収集装置の条件記憶部において、レポートチェックという欄を追加したアーカイブマーク付与条件リストを示した説明図。
【図１１】第３の実施形態に係る医用画像収集装置の変形例として、条件記憶部において、レポートチェック改という欄を追加したアーカイブマーク付与条件リストを示した説明図。
【図１２】第４の実施形態に係る医用画像収集装置の条件記憶部において、アーカイブマークを付与するためのマーク付与条件を示したデータ種リストの説明図。
【図１３】第５の実施形態に係る医用画像収集装置の条件記憶部において、アーカイブマークを付与するためのマーク付与条件を示した部位リストの説明図。
【図１４】第５の実施形態に係る医用画像収集装置において、部位に対して複数の撮像画像がある場合の検査リストを示した説明図。
【図１５】医用画像収集装置を備えるＸ線ＣＴ装置から外部装置へ画像データを転送する態様を示す説明図。
【図１６】ある病院において、ハイレゾ画像に対応したＸ線ＣＴ装置を導入した場合に、Ｘ線ＣＴ装置の医用画像収集装置が、アーカイブマークを付与する態様を例示した説明図。
【発明を実施するための形態】
【００１３】
近年のＸ線ＣＴ装置では、高精細な画像（以下、これをハイレゾ画像：High Resolution画像ともいう。）として、例えば、画像の解像度が、１０２４×１０２４の画像データや２０４８×２０４８の画像データ（以下、これらをハイレゾサイズともいう。）を生成することができるようになった。これにより、高精細な画像データを用いて、微細な臨床情報を得ることができるようになった。
【００１４】
ここで、本実施形態に係る医用画像収集装置を説明する前に、ハイレゾ画像による撮影や読影が可能になったことによる問題点を、図面を用いて説明する。
【００１５】
図１５は、医用画像収集装置１０Ａを備えるＸ線ＣＴ装置１００Ａから外部装置へ画像データを転送する態様を示す説明図である。
【００１６】
例えば、図１５（ａ）では、医用画像収集装置１０Ａを備えるＸ線ＣＴ装置１００Ａと、医用画像管理システム（ＰＡＣＳ：Picture Archiving Communication System）を構成する医用画像処理装置（以下、これをＰＡＣＳともいう。）２００Ａとを示している。また、図１５（ｂ）では、医用画像収集装置１０ＡからＰＡＣＳ２００Ａに、患者ごとに画像データを転送したことを示す検査リストを示している。
【００１７】
図１５（ａ）では、Ｘ線ＣＴ装置１００Ａの撮影機能によってハイレゾ画像を撮影した場合でも、ＰＡＣＳ２００Ａがハイレゾ画像に対応していない装置の場合には、医用画像収集装置１０Ａは、ハイレゾ画像を転送することができない。
【００１８】
また、ハイレゾ画像はファイル容量が大きいため、ハイレゾ画像に対応していない従来のＰＡＣＳ２００Ａでは転送時間が膨大となり、読影を開始するまでに時間を要することがある。また、ハイレゾ画像はファイル容量が大きいため、ＰＡＣＳ２００Ａによっては、記憶装置の空き容量がすぐになくなってしまうことが想定される。
【００１９】
この場合、Ｘ線ＣＴ装置１００Ａの医用画像収集装置１０Ａは、ハイレゾ画像に対応していない従来のＰＡＣＳ２００Ａには、ハイレゾ画像を転送（送信）することができないので、従来の画像（これを、従来画像ともいう。）の解像度（例えば、５１２×５１２の画像データであり、従来サイズともいう。）で転送することが想定される。
【００２０】
また、読影に必要な部分を中心として再構成し、データサイズ（ファイル容量）を小さくして送信することも想定される。この他には、画像コンソールでレポートが終了されている場合には、従来サイズの画像データのみを転送することも考えらえる。
【００２１】
また、ワークステーション（ＷＳ：Work Station）に画像データを転送して画像診断を行う場合にも、ワークステーションによっては、ハイレゾ画像の解像度に対応していないこともある。
【００２２】
また、Ｘ線ＣＴ装置１００Ａの医用画像収集装置１０Ａは、ＰＡＣＳ２００Ａに転送する画像データを区別することができないため、ハイレゾ画像を転送しても従来画像を転送しても、同一のアーカイブマークが付与される。なお、アーカイブマークとは、例えば、保管が必要な画像データを医用画像撮像装置から外部の記憶装置に複製物を転送（送信）し、保存したことを印すマークを意味するものとする。
【００２３】
図１５（ｂ）に示す検査リストには、患者ＩＤ（Identification）、患者名、およびアーカイブマークの欄が記載されている。
【００２４】
例えば、患者名のＰＡ０１は、患者ＩＤが１２３−０１であり、アーカイブマークとして、「ＤＷＰ」が付与されている。アーカイブマークの「Ｄ」は、医用画像収集装置１０ＡからＤＶＤ−ＲＡＭ（Digital Versatile Disk Random Access Memory）に、画像データが転送されたことを示している。また、アーカイブマークの「Ｗ」は、医用画像収集装置１０Ａから読影用のＷＳに、画像データが転送されたことを示している。また、アーカイブマークの「Ｐ」は、医用画像収集装置１０ＡからＰＡＣＳに、画像データが転送されたことを示している。また、アーカイブマークの大文字は、その患者名に関する全画像データが転送されていることを示している。
【００２５】
また、例えば、患者名のＰＡ０２は、患者ＩＤが１２３−０２であり、アーカイブマークとして、「ｄ」が付与されている。アーカイブマークの「ｄ」は、医用画像収集装置１０ＡからＤＶＤ−ＲＡＭに、画像データが転送されたことを示している。また、アーカイブマークが小文字（「ｄ」）で記されている場合、その患者名に関する画像データのうち一部の画像データ（例えば、複数の画像データのうちの一部の画像データ）が、医用画像収集装置１０ＡからＤＶＤ−ＲＡＭに、転送されていることを示している。
【００２６】
また、例えば、患者名のＰＡ０３は、患者ＩＤが１２３−０３であり、アーカイブマークとして、「ｗｐ」が付与されている。アーカイブマークの「ｗ」は、医用画像収集装置１０Ａから読影用のＷＳに、画像データが転送されたことを示している。また、アーカイブマークの「ｐ」は、医用画像収集装置１０ＡからＰＡＣＳに、画像データが転送されたことを示している。また、アーカイブマークが小文字（「ｗ」や「ｐ」）で記されている場合、その患者名に関する画像データのうち一部の画像データ（例えば、複数の画像データのうちの一部の画像データ）が、医用画像収集装置１０ＡからＷＳやＰＡＣＳに転送されていることを示している。
【００２７】
このように、Ｘ線ＣＴ装置１００Ａの医用画像収集装置１０Ａの検査リストにアーカイブマークが付与されていても、ＰＡＣＳやＷＳに転送された画像データが、ハイレゾ画像か従来画像（低解像度の画像）かを分別することができなかった。
【００２８】
このような場合において、医用画像収集装置１０Ａでは、生成された画像データを転送した場合であって、かつ、必要な条件を満たした場合にアーカイブマークを付与することが望まれる。例えば、アーカイブマークを付与するマーク付与条件として、以下のような態様が想定される。
【００２９】
図１６は、ある病院において、ハイレゾ画像に対応したＸ線ＣＴ装置１００Ａを導入した場合に、Ｘ線ＣＴ装置１００Ａの医用画像収集装置１０Ａが、アーカイブマークを付与する態様を例示した説明図である。
【００３０】
図１６（ａ）では、ＰＡＣＳ２００Ａがハイレゾ画像に対応していない従来の医用画像処理装置（または、ワークステーション）の場合において、医用画像収集装置１０Ａが、従来画像の画像データを転送した場合やハイレゾ画像の一部の画像データを転送した場合に、アーカイブマークを付与すること（○印）を示している。
【００３１】
例えば、当面、ハイレゾ画像に対応した医用画像処理装置やワークステーションを導入する予定がない場合は、医用画像収集装置１０Ａは、ハイレゾ画像を保存しておく必要がない。そのため、その画像データを削除可能である旨を示すアーカイブマークを付与することを意味している。
【００３２】
また、図１６（ｂ）におけるＰＡＣＳ２００Ａは、図１６（ａ）と同様の内容を示している。図１６（ｂ）におけるＷＳ５００は、ハイレゾ画像に対応したワークステーションを示しており、医用画像収集装置１０ＡがＷＳ５００にハイレゾ画像の画像データを転送した場合には、アーカイブマークを付与すること（○印）を示している。一方、医用画像収集装置１０ＡがＷＳ５００に従来画像の画像データを転送した場合やハイレゾ画像の一部の画像データを転送した場合には、アーカイブマークを付与しないこと（×印）を示している。
【００３３】
この場合、医用画像収集装置１０Ａは、ＷＳ５００にハイレゾ画像の画像データを転送したり、残っているハイレゾ画像の画像データを転送するなどハイレゾ画像の画像データを今後利用すること想定される。そのため、まだハイレゾ画像の画像データは、削除することは適切ではないので、アーカイブマークを付与しないこととしている。
【００３４】
また、図１６（ｃ）におけるＷＳ５００は、図１６（ｂ）におけるＷＳ５００と同様の内容を示している。すなわち、図１６（ｃ）では、ＷＳ５００がハイレゾ画像に対応したワークステーション（または、ＰＡＣＳ）を示しており、医用画像収集装置１０ＡがＷＳ５００にハイレゾ画像の画像データを転送した場合は、アーカイブマークを付与すること（○印）を示している。一方、医用画像収集装置１０ＡがＷＳ５００に、従来画像の画像データを転送した場合やハイレゾ画像の一部の画像データを転送した場合には、アーカイブマークを付与しないこと（×印）を示している。
【００３５】
これらの態様はあくまでも例示ではあるが、必要なマーク付与条件を満たした場合に、アーカイブマークを付与する態様を実現するために、以下に、本実施形態に係る医用画像収集装置を備えるＸ線ＣＴ装置について、添付図面を参照して説明する。
【００３６】
（第１の実施形態）
図１は、第１の実施形態に係る医用画像収集装置１０を備えるＸ線ＣＴ装置１００について、画像データ転送システム８００を示した概略構成図である。
【００３７】
図１に示すように、画像データ転送システム８００は、Ｘ線ＣＴ装置１００、ＰＡＣＳ（医用画像処理装置）２００、ＰＡＣＳ３００、ＰＡＣＳ４００、ＷＳ（ワークステーション）５００、ＷＳ６００およびネットワーク７００を備えて構成されている。
【００３８】
Ｘ線ＣＴ装置１００は、Ｘ線を用いて被検体（患者）を撮像するＸ線撮像機能を備えている。また、Ｘ線ＣＴ装置１００は、医用画像収集装置１０を備えている。Ｘ線ＣＴ装置１００の医用画像収集装置１０は、被検体をＸ線で撮影した撮像画像（画像データ）を、ネットワーク７００を介して、他の外部装置に送信（または転送）する機能を有している。
【００３９】
なお、本実施形態に係る医用画像収集装置１０は、一例として、医用画像処理装置によって構成されているが、医用画像処理装置は医用画像収集装置１０に限定されるものではない。例えば、画像データを表示するビューア（Viewer）、レポートを作成するレポート作成サーバ、レポートを保管するレポート保管サーバ、および画像データを管理する画像サーバなども医用画像処理装置に含まれる。
【００４０】
したがって、本実施形態では、ビューア、レポート作成サーバ、レポート保管サーバ、または画像サーバなどの医用画像処理装置でも、本実施形態に係る医用画像収集装置１０が備える機能をそれぞれ適用することができる。
【００４１】
ＰＡＣＳ２００、ＰＡＣＳ３００およびＰＡＣＳ４００は、各装置それぞれ医用画像管理システムを構成する医用画像処理装置や医用画像管理サーバなどであり、Ｘ線ＣＴ装置１００によって被検体を撮影することにより得られた画像データを、保管、閲覧、管理するサーバである。なお、ＰＡＣＳ２００、ＰＡＣＳ３００およびＰＡＣＳ４００はそれぞれ独立して医用画像管理システムを構成する必要はなく、１つの医用画像管理システムを構成して、その医用画像管理システムに接続された医用画像管理サーバであってもよい。
【００４２】
ＷＳ５００は、Ｘ線ＣＴ装置１００によって被検体を撮影することにより得られた撮像画像に対し、読影医師が読影を行う情報処理装置である。例えば、ＷＳ５００は、撮像画像の読影結果を所見記述としてコメント欄に記入（レポートの作成）するための読影装置（これをレポート作成装置ともいう。）である。
【００４３】
ＷＳ６００は、ＷＳ５００で作成されたレポートを格納するレポート管理サーバである。ＷＳ６００は、ＷＳ５００で作成されたレポートを、ネットワーク７００を介して取得して、記憶部に格納するようになっている。また、ＷＳ６００は、Ｘ線ＣＴ装置１００によって撮像された撮像画像（画像データ）を、直接取得することもできるようになっている。
【００４４】
ネットワーク７００は、画像データ転送システム８００に接続されている各装置を相互に接続するためのネットワークである。
【００４５】
図２は、第１の実施形態に係る医用画像収集装置１０を備えるＸ線ＣＴ装置１００の機能を示す機能ブロック図である。
【００４６】
図２に示すように、Ｘ線ＣＴ装置１００は、Ｘ線撮影部１１０と、医用画像収集装置１０とを備えて構成されている。
【００４７】
Ｘ線撮影部１１０は、被検体にＸ線を照射する機能を示している。Ｘ線撮影部１１０は、例えば、高電圧発生部、Ｘ線源、Ｘ線検出器、回転部および寝台などの一般的な構成を含むものとする。また、Ｘ線撮影部１１０は、被検体を撮像した撮像画像（画像データ）を画像保存部６に保存するようになっている。
【００４８】
医用画像収集装置１０は、条件記憶部１、送信要求受付部２、マーク付与部３、表示制御部４、表示部５、画像保存部６および画像送信部７などを備えて構成されている。なお、医用画像収集装置１０の構成要素１ないし７の全部または一部は、Ｘ線ＣＴ装置１００にハードウエアとして備えられるものであってもよい。
【００４９】
医用画像収集装置１０の条件記憶部１は、被検体に関連付けられた画像データの送信が完了したことを示すアーカイブマークを、付与するためのマーク付与条件の設定を記憶する機能を有している。例えば、条件記憶部１は、オペレータによる操作部の入力操作を受け付けて、画像データの送信が完了したことを示すアーカイブマークを付与するためのマーク付与条件の設定を記憶する。なお、画像データの送信とは、単に送信に限定されるものではなく、画像データを転送する態様も含むものとする。
【００５０】
なお、マーク付与条件は、画像データの解像度または分解能の少なくとも１つに関する条件を含むものとする。例えば、画像データの解像度とは、１０２４×１０２４のような画像のマトリックスサイズのことを意味し、分解能とは、ドットパーインチ（dot per inch）やピクセルパーインチ（pixel per inch）のような画素密度のことを意味するものとする。
【００５１】
医用画像収集装置１０の送信要求受付部２は、オペレータ（ユーザ）からの画像データの送信要求を受け付ける機能を有している。例えば、送信要求受付部２は、オペレータによる操作部の入力操作を受け付けて、所定の被検体の画像データの送信要求を受け付けるようになっている。なお、この送信要求には転送要求も含むものとする。
【００５２】
医用画像収集装置１０の画像送信部７は、送信要求受付部２において受け付けた送信要求に基づいて、対応する画像データを他の装置へ送信する機能を有している。例えば、画像送信部７は、送信要求受付部２において受け付けた送信要求に基づいて、その被検体に関連付けられた画像データを画像保存部６から読み出し、外部装置（ＰＡＣＳ２００やＰＡＣＳ３００など）に送信するようになっている。
【００５３】
なお、画像送信部７が画像データを送信した後、その送信された画像データは、まだ画像保存部６に残っている。このため、オペレータは、後述するアーカイブマークを参照し、残っている画像データを画像保存部６から削除するか否かを判断することができる。
【００５４】
医用画像収集装置１０のマーク付与部３は、送信要求受付部２において受け付けた送信要求が、条件記憶部１で記憶しているマーク付与条件を満たしていたときは、被検体に関連づけられた検査リストにアーカイブマークを付与する機能を有している。
【００５５】
例えば、条件記憶部１は、アーカイブマークを付与するマーク付与条件を示したアーカイブマーク付与条件リストを備えており、マーク付与部３は、そのアーカイブマーク付与条件リストを参照し、画像送信部７によって送信された画像データがアーカイブマーク付与条件リストのマーク付与条件を満たしていたとき、検査リスト上にアーカイブマークを付与することができる。
【００５６】
医用画像収集装置１０の表示制御部４は、アーカイブマークが付与された検査リストを、表示部に表示させる機能を有している。例えば、医用画像収集装置１０は、表示部５を備えており、表示制御部４は、被検体ごとにアーカイブマークが付与された検査リストを表示部５に表示させることができる。
【００５７】
医用画像収集装置１０の表示部５は、アーカイブマークが付与された検査リストを表示する機能を有している。
【００５８】
図３は、第１の実施形態に係る医用画像収集装置１０の構成を示すハードウエアブロック図である。第１の実施形態では、図２に示した各機能を実現するためのハードウエアを備えている。
【００５９】
図３に示すように、医用画像収集装置１０は、ＣＰＵ（Central Processing Unit）１１、ＲＯＭ（Read Only Memory）１２、ＲＡＭ（Random Access Memory）１３、ネットワークインターフェース部１４、操作部１５、表示部５、記憶部１６、内部バス１７などを備えて構成されている。
【００６０】
ＣＰＵ１１は、ＲＯＭ１２に格納されている各種プログラムをＲＡＭ１３にロードして、そのプログラムを展開することにより、各種プログラムの機能を実現することできる。ＲＡＭ１３は、ワークエリア（作業用メモリ）として利用されるようになっている。ＲＯＭ１２は、各種プログラムを格納するようになっている。ＲＯＭ１２に格納されている各種プログラムには、図２に示した各機能を実現するためのプログラムが含まれている。
【００６１】
ネットワークインターフェース部１４は、ネットワーク７００を介して、画像データを医用画像収集装置１０（図１）からＰＡＣＳ２００、ＰＡＣＳ３００、ＰＡＣＳ４００、ＷＳ５００またはＷＳ６００へ送信するためのインターフェース部である。
【００６２】
操作部１５は、例えば、アーカイブマークを付与するためのマーク付与条件やオペレータから画像データの送信要求を受け付ける、入力装置により構成されている。例えば、操作部１５は、キーボードやマウスなどにより構成されている。
【００６３】
表示部５は、被検体に関する患者情報やアーカイブマークが付与された検査リストなどを表示する表示部として構成されている。表示部５は、液晶ディスプレイやモニタなどによって構成されている。また、表示部５は、操作部１５と協働し、画像コンソールや撮像コンソールを形成するようになっている。
【００６４】
記憶部１６は、記憶メモリを構成する記憶部であり、ＲＡＭやハードディスクなどによって構成されている。本実施の形態では、記憶部１６は、例えば、Ｘ線撮影部１１０で撮像された画像データを格納する画像保存部６を構成するようになっている。また、記憶部１６は、アーカイブマークが付与された検査リストやアーカイブマークを付与するためのマーク付与条件を格納する条件記憶部１を構成することもできる。
【００６５】
このように、第１の実施形態では、医用画像収集装置１０は、ＲＯＭ１２に格納されているプログラムを実行することにより、図２の医用画像収集装置１０に示した機能を実現することができるようになっている。
【００６６】
続いて、第１の実施形態に係る医用画像収集装置１０のアーカイブマーク付与処理について、フローチャートを用いて説明する。なお、アーカイブマーク付与処理を実行する前に、Ｘ線ＣＴ装置１００は、被検体ごとに検査リストに応じた撮像を行い、画像データを医用画像収集装置１０の画像保存部６に格納しているものとする。
【００６７】
（アーカイブマーク付与処理）
図４は、第１の実施形態に係る医用画像収集装置１０が、検査リストにアーカイブマークを付与するアーカイブマーク付与処理を示したフローチャートである。図４において、Ｓに数字を付した符号は、フローチャートの各ステップを示している。
【００６８】
まず、Ｘ線ＣＴ装置１００の医用画像収集装置１０は、被検体に関連付けられた画像データの送信が完了したことを示すアーカイブマークを、付与するためのマーク付与条件の設定を受け付ける（ステップＳ００１）。これにより、医用画像収集装置１０の条件記憶部１は、アーカイブマークを付与するためのマーク付与条件の設定を記憶する。
【００６９】
第１の実施形態に係る医用画像収集装置１０は、条件記憶部１において、画像データの送信先の処理装置が使用可能な画像データのマトリックスサイズについて、高精細な画像を示すハイレゾサイズ（高精細画像サイズ）と従来サイズ（通常サイズ）とを区別して、マーク付与条件を形成するアーカイブマーク付与条件リストを有している。
【００７０】
図５は、医用画像収集装置１０の条件記憶部１が受け付けたアーカイブマークを付与するためのマーク付与条件を示したアーカイブマーク付与条件リストの説明図である。
【００７１】
図５に示すアーカイブマーク付与条件リストには、送信先と解像度の欄が設けられている。一例として、図１に示した外部装置が送信先に記載されており、医用画像収集装置１０が各送信先にそれぞれ所定の解像度で画像データを送信した場合に、アーカイブマークを付与することを示している。
【００７２】
例えば、図５に示すアーカイブマーク付与条件リストでは、医用画像収集装置１０がＰＡＣＳ２００に、解像度が５１２×５１２の画像データ（上述した従来サイズであり、図中では、５１２と表示する。）で送信した場合には、アーカイブマークを付与することを示している。また、このアーカイブマーク付与条件リストでは、医用画像収集装置１０がＰＡＣＳ３００に、解像度が２０４８×２０４８の画像データ（上述したハイレゾサイズであり、図中では、２０４８と表示する。）で送信した場合には、アーカイブマークを付与することを示している。
【００７３】
また、このアーカイブマーク付与条件リストでは、医用画像収集装置１０がＰＡＣＳ４００に、従来サイズとハイレゾサイズの両方の画像データを送信した場合に、アーカイブマークを付与することを示している。また、このアーカイブマーク付与条件リストでは、医用画像収集装置１０がＷＳ５００に、従来サイズの画像データを送信した場合に、アーカイブマークを付与することを示している。また、このアーカイブマーク付与条件リストでは、医用画像収集装置１０がＷＳ６００に、従来サイズ以上の画像データを送信した場合に、アーカイブマークを付与することを示している。
【００７４】
このように、ステップＳ００１では、医用画像収集装置１０は、オペレータからアーカイブマークを付与するためのマーク付与条件の設定を受け付けて、そのマーク付与条件を条件記憶部１に記憶する。
【００７５】
医用画像収集装置１０は、送信要求受付部２において、オペレータからの画像データの送信要求を受け付ける（ステップＳ００３）。例えば、送信要求受付部２は、オペレータによる操作部１５の入力操作を受け付けて、所定の被検体の画像データの送信要求を受け付ける。
【００７６】
医用画像収集装置１０は、送信要求受付部２において受け付けた送信要求に基づいて、その送信要求に対応する画像データを画像送信部７により外部装置に送信する（ステップＳ００５）。例えば、画像送信部７は、送信要求受付部２において受け付けた送信要求に基づいて、その被検体に関連付けられた画像データを画像保存部６から読み出し、送信要求に対応する外部装置（ＰＡＣＳ２００やＰＡＣＳ３００など）に送信する。
【００７７】
次に、第１の実施形態に係る医用画像収集装置１０は、マーク付与部３において、受け付けた送信要求がマーク付与条件を満たすか否かについて、アーカイブマーク付与条件リストを参照し、マーク付与条件を満たしていたときにアーカイブマークを付与する。
【００７８】
例えば、医用画像収集装置１０は、送信要求受付部２において受け付けた送信要求が、条件記憶部１で設定されたマーク付与条件を満たしていたか否かを判定し（ステップＳ００７）、そのマーク付与条件を満たしていたときは（ステップＳ００７のＹＥＳ）、被検体に関連づけられた検査リストにアーカイブマークを付与する（ステップＳ００９）。
【００７９】
一方、医用画像収集装置１０は、送信要求受付部２において受け付けた送信要求がマーク付与条件を満たしていないときは（ステップＳ００７のＮＯ）、アーカイブマークを付与しない処理をする（ステップＳ０１１）。
【００８０】
そして、医用画像収集装置１０は、アーカイブマークが付与された検査リストを表示部５に表示する（ステップＳ０１３）。
【００８１】
図６は、第１の実施形態に係る医用画像収集装置１０が、表示部５に検査リストを表示した場合の説明図である。なお、図６の検査リストでは、上述した図１５（ｂ）の検査リストと異なる点について説明することにする。
【００８２】
図６に示す検査リストでは、マーク付与部３において、画像送信部７による画像データの送信がアーカイブマーク付与条件リスト（図５）の解像度のマーク付与条件を満たす場合は、アーカイブマークを付与し、かつ、従来サイズで画像データを送信した場合には、送信先のアーカイブマークを黒色で表示し、一方、ハイレゾサイズで画像データを送信した場合には、送信先のアーカイブマークを網掛け表示で表示している。
【００８３】
例えば、患者名のＰＡ０１は、アーカイブマークとして、黒色で「ＤＷ」のアーカイブマークが付されている。この場合、医用画像収集装置１０は、画像保存部６に格納していたＰＡ０１の画像データを、ＤＶＤ−ＲＡＭに従来サイズで送信（転送）するとともに、ＷＳ（ＷＳ５００またはＷＳ６００の所定のいずれか一方）にも、従来サイズで送信（転送）したことを示している。なお、ＤＶＤ−ＲＡＭは、図示していないが、Ｘ線ＣＴ装置１００または医用画像収集装置１０が有しているものとする。
【００８４】
また、この検査リストでは、患者名のＰＡ０１には、網掛け表示で「Ｐ」のアーカイブマークが付されている。この場合、医用画像収集装置１０は、画像保存部６に格納されていたＰＡ０１の画像データを、ＰＡＣＳ３００に、ハイレゾサイズで送信（転送）したことを示している。なお、医用画像収集装置１０は、ＰＡ０１の画像データを、ＰＡＣＳ４００に、従来サイズとハイレゾサイズの両方で送信（転送）した場合であってもよい。
【００８５】
なお、検査リストの表示方法は、図６に示すアーカイブマークの付与の方法に限定されるものではない。例えば、図６のアーカイブマークの欄において、図５に記載したアーカイブマーク付与条件リストの全ての送信先を列挙して、送信先ごとにアーカイブマークを付与するようにしてもよい。また、ハイレゾサイズで画像データを送信した場合、網掛け表示に限定されるものではない。ハイレゾサイズと従来サイズとを区別することができればよく、例えば、斜体で表示したり、太文字で表示するようにしてもよい。
【００８６】
このように、第１の実施形態に係る医用画像収集装置１０は、マーク付与部３において、アーカイブマーク付与条件リストを参照して、マーク付与条件を満たしていたときにアーカイブマークを付与する。また、医用画像収集装置１０は、表示制御部４により、ハイレゾサイズと従来サイズを視覚的に区別して、アーカイブマークが付与された検査リストを表示部５に表示させる。
【００８７】
そして、第１の実施形態に係る医用画像収集装置１０は、アーカイブマークが付与された検査リストを表示部５に表示すると（ステップＳ０１１）、アーカイブマーク付与処理を終了する。
【００８８】
以上説明したように、第１の実施形態に係る医用画像収集装置１０は、送信先によって従来サイズで画像データを送信したのか、ハイレゾサイズで画像データを送信したのかを検査リスト上で識別可能なアーカイブマークを付与することができる。
【００８９】
これにより、オペレータは、第１の実施形態に係る医用画像収集装置１０の表示部５に表示された検査リストのアーカイブマークを参考に、画像データの削除を検討することができる。また、例えば、第１の実施形態に係る医用画像収集装置１０では、画像データの削除を削除するための削除条件を設定することができる。
【００９０】
具体的には、医用画像収集装置１０は、表示制御部４において、送信要求がマーク付与条件を満たしており、かつ検査リストに割り当てられた削除条件に合致する場合は、送信した画像データについて削除可能である旨を表示部５に表示させるようにしてもよい。
【００９１】
この削除条件とは、一例として、医用画像収集装置１０が画像保存部６に記憶する画像データを、アーカイブマークが付された状態によって削除可能であることを示した条件のことである。
【００９２】
例えば、図６に示すアーカイブマークの欄において３か所以上の保存先に画像データを送信（転送）した場合には、削除可能である旨のアンダーラインをアーカイブマークの下に引くようすることができる。他に、予め削除条件として、特定のＰＡＣＳやＷＳに画像データを転送する旨の条件を設定し、その条件を満たした場合には、削除可能である旨のアンダーラインをアーカイブマークの下に引くこともできる。
【００９３】
（第２の実施形態）
第１の実施形態では、医用画像収集装置１０は、画像送信部７において送信要求に対応する画像データを外部装置に送信し、また、マーク付与部３において、受け付けた送信要求がマーク付与条件を満たすか否かについて、アーカイブマーク付与条件リストを参照して、アーカイブマークを付与するか否かを判定していた。
【００９４】
第２の実施形態では、医用画像収集装置１０は、画像データの送信要求を受け付ける際、アーカイブマーク付与条件リストを参照し、送信要求がアーカイブマークの付与されるマーク付与条件を満たすように画像データを送信するようになっている。
【００９５】
例えば、医用画像収集装置１０の送信要求受付部２は、画像データの送信要求を受け付けると、医用画像収集装置１０は、図５のアーカイブマーク付与条件リストに記載された送信先を表示部５に提示する。図５のアーカイブマーク付与条件リストに記載された送信先が表示部５に表示され、オペレータが送信先を選択すると、アーカイブマークが付与される画像サイズがデフォルトで選択されるようになっている。
【００９６】
図７は、第２の実施形態に係る医用画像収集装置１０が、検査リストにアーカイブマークを付与するアーカイブマーク付与処理を示したフローチャートである。
【００９７】
図７に示すフローチャートが、図４に示すフローチャートと異なる点は、ステップＳ１０１の送信確認ダイアログの表示処理が追加されている点である。
【００９８】
ステップＳ１０１では、第２の実施形態に係る医用画像収集装置１０は、送信要求受付部２において、送信要求を受け付ける際、図５のアーカイブマーク付与条件リストを参照し、送信要求がマーク付与条件を満たすように送信要求を受け付ける。すなわち、第２の実施形態に係る医用画像収集装置１０は、マーク付与条件を満たすように送信要求を受け付けて、画像データを送信する。
【００９９】
図８は、第２の実施形態に係る医用画像収集装置１０の画像送信部７が、画像データを送信する際に、表示部５に送信条件を表示した送信確認ダイアログを示す説明図である。
【０１００】
例えば、オペレータが、アーカイブマーク付与条件リスト（図５）の中から送信先としてＰＡＣＳ２００を選択した場合には、医用画像収集装置１０は、画像送信部７において、従来サイズの画像データで送信することを示している。
【０１０１】
なお、オペレータが、アーカイブマーク付与条件リストの中から送信先としてＰＡＣＳ３００を選択した場合には、医用画像収集装置１０は、画像送信部７において、ハイレゾサイズの画像データで送信するようになっている。
【０１０２】
また、第２の実施形態は、この実施形態に限定されるものではない。例えば、送信確認ダイアログ自体を表示せず、自動的にアーカイブマークのマーク付与条件を満たす画像サイズで自動送信する形態であってもよい。また、再構成を実行して、自動的に画像データを転送する形態の場合には、アーカイブマークのマーク付与条件を満たす画像サイズをデフォルトとして、自動転送するようにしてもよい。
【０１０３】
さらに、第２の実施形態に係る医用画像収集装置１０でも、第１の実施形態で例示した画像データの削除条件の表示にも適用することができる。
【０１０４】
例えば、医用画像収集装置１０は、アーカイブマークが付与された検査リストにおける画像データに対し、その画像データの削除要求を受け付けた場合を想定する。この場合、表示制御部４は、削除要求を受け付けた画像データについて削除を実行するために、他に必要なアーカイブマークが付与されているべき条件（削除条件）を表示することができる。
【０１０５】
具体的には、画像データの削除を実行するための条件として、所定のＰＡＣＳやＷＳに転送することを削除条件としている場合には、その特定のＰＡＣＳやＷＳに画像データを転送すべき旨の表示を行う。また、これ以外にも、削除要求を受け付けたとき、削除条件を満たすように、特定のＰＡＣＳやＷＳに、オペレータには非表示で自動的に画像データを転送するようにしてもよい。
【０１０６】
（第３の実施形態）
第３の実施形態は、第１の実施形態および第２の実施形態に加えて、アーカイブマーク付与条件リストに他の条件を設定し、その他の条件を満たす場合は、アーカイブマークを付与するようにすることができる。
【０１０７】
例えば、条件記憶部１は、アーカイブマーク付与条件リストに関心領域（ＲＯＩ：Region Of Interest）を指定する欄（例えば、ＲＯＩ指定という欄）を設け、アーカイブマークが付与されるマーク付与条件を追加することができる。この場合、医用画像収集装置１０は、画像データにおいて関心領域として指定された画像が、その画像データから切り出されて送信された場合は、検査リストにアーカイブマークを付与することができる。
【０１０８】
図９は、第３の実施形態に係る医用画像収集装置１０の条件記憶部１において、ＲＯＩ指定という欄を追加したアーカイブマーク付与条件リストを示した説明図である。
【０１０９】
図９に示すアーカイブマーク付与条件リストでは、図５に示すアーカイブマーク付与条件リストに、ＲＯＩ指定の欄が追加されている。また、図９に示すアーカイブマーク付与条件リストには、ＷＳ７００が追加されている。ＷＳ５００とＷＳ７００では、それぞれ解像度が従来サイズとハイレゾサイズに指定されている。また、ともにＲＯＩ指定の欄がＯＮとなっており、ＲＯＩを含む画像が画像データから切り出されて送信された場合には、アーカイブマークを付与することを示している。
【０１１０】
なお、この場合、例えば、解像度のマーク付与条件を解除し、従来サイズでもハイレゾサイズでも問わないようにしてもよい。一方、例えば、ハイレゾサイズを満たしつつ、ＲＯＩを含む画像を画像データから切り出して、再構成して送信することをマーク付与条件とするようにしてもよい。
【０１１１】
また、この他にも、例えば、従来サイズ（通常サイズ）で送信された画像データによりレポートが作成された場合には、検査リストにアーカイブマークを付与することもできる。
【０１１２】
図１０は、第３の実施形態に係る医用画像収集装置１０の条件記憶部１において、レポートチェックという欄を追加したアーカイブマーク付与条件リストを示した説明図である。
【０１１３】
図１０に示すアーカイブマーク付与条件リストでは、図５に示すアーカイブマーク付与条件リストに、レポートチェックの欄が追加されている。そして、ＰＡＣＳ３００では、ハイレゾサイズで画像データが送信されていることがマーク付与条件になっていたと想定する。
【０１１４】
ここで、レポートチェックとは、画像データについてレポートの作成の有無を判断する項目となっている。例えば、レポートチェックの欄がＯＮ（オン）になっている場合には、その画像データによりレポートが作成されているか判断するようになっており、レポートが作成されていれば、送信先の解像度によらず、アーカイブマークを付与するようになっている。一方、レポートチェックの欄がＯＦＦ（オフ）になっている場合には、レポートの作成の有無は判断しないようになっている。
【０１１５】
図１０では、ＰＡＣＳ３００のレポートチェックの欄がＯＮとなっていることにより、例えば、操作部１５と表示部５とにより画像コンソールを構成し、医用画像収集装置１０において、レポートが作成されていた場合には、ＰＡＣＳ３００にハイレゾ画像を送信していなくても、検査リストにアーカイブマークを付与するようになっている。
【０１１６】
なお、医用画像収集装置１０は、レポートを作成する際、レポートで使用する画像についてのみ、ハイレゾ画像を使用するマーク付与条件を、別途、設けるようにしてもよい。
【０１１７】
（第３の実施形態の変形例）
例えば、原画像データを後から送信（転送）する場合、医用画像収集装置１０は、キー画像や再構成した処理画像を先に送信することが想定される。このような場合には、先に送信されたキー画像や処理画像を用いて、レポート作成装置であるＷＳ５００でレポートが作成された場合や、レポート管理サーバであるＷＳ６００にレポートが格納された場合には、ハイレゾ画像を送信していなくても、アーカイブマークを付与するようにしてもよい。
【０１１８】
図１１は、第３の実施形態に係る医用画像収集装置１０の変形例として、条件記憶部１において、レポートチェック改という欄を追加したアーカイブマーク付与条件リストを示した説明図である。
【０１１９】
ここで、レポートチェック改とは、ネットワーク７００を介して定期的にＷＳ５００やＷＳ６００でレポートの作成の有無を判断する項目となっている。例えば、レポートチェック改の欄がＯＮ（オン）になっている場合には、ネットワーク７００を介して、その画像データによりレポートが作成されているか判断するようになっており、ネットワーク７００を介して、ＷＳ５００やＷＳ６００でレポートが作成されていれば、送信先の解像度によらず、アーカイブマークを付与するようになっている。一方、レポートチェック改の欄がＯＦＦ（オフ）になっている場合には、レポートの作成の有無は判断しないようになっている。
【０１２０】
図１１に示すアーカイブマーク付与条件リストでは、例えば、医用画像収集装置１０は、ＰＡＣＳ３００にキー画像や処理画像を送信し、その画像を用いてＷＳ５００でレポートが作成された場合や、作成されたレポートがＷＳ６００に格納された場合には、ハイレゾ画像を送信していなくても、アーカイブマークを付与するようになっている。
【０１２１】
（第４の実施形態）
第４の実施形態では、医用画像収集装置１０の条件記憶部１は、アーカイブマーク付与条件リストの代わりに、または、アーカイブマーク付与条件リストに加え、画像データの種類または部位ごとにアーカイブマークを付与するためのマーク付与条件を示すデータ種リストを備えるようになっている。
【０１２２】
図１２は、第４の実施形態に係る医用画像収集装置１０の条件記憶部１において、アーカイブマークを付与するためのマーク付与条件を示したデータ種リストの説明図である。
【０１２３】
図１２に示すデータ種リストには、データ種と解像度の欄が設けられている。図１２に示すデータ種リストでは、データ種と送信した画像データの画像サイズによってアーカイブマークを付与することを示している。
【０１２４】
すなわち、例えば、データ種として、検査内容が頭部単純の場合であって、従来サイズで画像データを送信した場合に、アーカイブマークを付与することを示している。また、検査部位が胸部の場合の場合であって、ハイレゾサイズで画像データを送信した場合に、アーカイブマークを付与することを示している。
【０１２５】
また、検査内容が心機能解析の場合であって、ハイレゾサイズで画像データを送信した場合に、アーカイブマークを付与することを示している。また、検査部位が全身の場合であって、１０２４×１０２４のハイレゾサイズ以上の画像データを送信した場合に（図中では、１０２４と表示する。）、アーカイブマークが付与されることを示している。また、検査内容が頭部造影ありの場合であって、ハイレゾサイズで画像データを送信した場合に、アーカイブマークを付与することを示している。
【０１２６】
なお、第４の実施形態に係る医用画像収集装置１０は、条件記憶部１において、データ種リストと第１の実施形態のアーカイブマーク付与条件リストと組み合わせ、送信先の装置に合わせて、画像サイズを設定するようにしてもよい。
【０１２７】
（第５の実施形態）
第５の実施形態では、医用画像収集装置１０の条件記憶部１は、アーカイブマーク付与条件リストの代わりに、または、アーカイブマーク付与条件リストに加え、部位ごとにアーカイブマークを付与するためのマーク付与条件を示す部位リストを備えるようになっている。この部位リストは、１つのボリュームデータにおいて複数の部位を有している場合に、そのそれぞれの部位にアーカイブマークを付与するためのマーク付与条件を示すようになっている。
【０１２８】
図１３は、第５の実施形態に係る医用画像収集装置１０の条件記憶部１において、アーカイブマークを付与するためのマーク付与条件を示した部位リストの説明図である。
【０１２９】
図１３に示す部位リストには、部位と解像度の欄が設けられている。図１３に示す部位リストでは、部位と送信した画像データの画像サイズによって、アーカイブマークを付与することを示している。
【０１３０】
例えば、１つのボリュームデータにおいて、頭部、心臓、胸部および腹部などの複数の部位を有する場合を想定する。この場合、それぞれの部位にアーカイブマークを付与するためのマーク付与条件を示すようになっている。
【０１３１】
例えば、頭部の場合は、従来サイズの画像データを送信すれば、アーカイブマークを付与するようになっている。また、心臓の場合は、ハイレゾサイズの画像データを送信すれば、アーカイブマークを付与するようになっている。また、胸部の場合は、ハイレゾサイズの画像データを送信すれば、アーカイブマークを付与するようになっている。また、腹部の場合は、従来サイズの画像データを送信すれば、アーカイブマークを付与するようになっている。
【０１３２】
また、それぞれの部位にアーカイブマークを付与する場合において、複数の撮像画像を有する場合がある。そのような場合において、アーカイブマークを付与する方法を説明する。
【０１３３】
図１４は、第５の実施形態に係る医用画像収集装置１０において、部位に対して複数の撮像画像がある場合の検査リストを示した説明図である。
【０１３４】
図１４に示す検査リストでは、部位、枚数、該当位置およびアーカイブマークの欄を備えている。例えば、部位の欄には、頭部に関する項目と、心臓に関する項目が設けられている。枚数の欄には、頭部における撮像枚数の１０００枚と、心臓の撮像枚数の１０００枚が記載されている。
【０１３５】
頭部に関する該当位置には、撮像画像の一部である００１から００３が示されている。また、アーカイブマークの欄には、頭部全体で１０００枚のうち一部の画像データが従来サイズで転送されていることを示すアーカイブマーク「ｄ」が付与されている。また、該当位置の００２の画像データには、従来サイズで転送されたことを示すアーカイブマーク「Ｄ」が付与されている。
【０１３６】
一方、心臓に関する該当位置には、撮像画像の一部である１０１から１０３が示されている。また、アーカイブマークの欄には、頭部全体で１０００枚のうち一部の画像データがハイレゾ画像で転送されていることを示すアーカイブマーク「ｄ」が網掛け表示で付与されている。また、該当位置の１０２の画像データには、ハイレゾ画像で転送されたことを示すアーカイブマーク「Ｄ」が網掛け表示で付与されている。
【０１３７】
ここでは、アーカイブマークの表示として、部位の一部の画像データを転送した場合には、小文字で表示するようになっており、一方、部位全体の画像データを転送した場合には、大文字で表示されるようになっている。なお、該当位置に対応する画像データについては、便宜的に大文字で表示しているが、これに限定されるものではない。例えば、該当位置に対応する画像データについて、斜体で表示するようにしてもよく、太文字表示するようにしてもよい。
【０１３８】
このように、第５の実施形態では、１つのボリュームデータにおいて複数の部位を有している場合に、そのそれぞれの部位にアーカイブマークを付与するとともに、検査リストにアーカイブマークが付与されている状態を示すことができる。
【０１３９】
（他の実施形態１）
第１から第５の実施形態以外の他の実施形態として、例えば、ＷＳやＰＡＣＳが有するＧＳＰＳ（Grayscale Softcopy Presentation State）という画像表示に関する通信機能を適用するようにしてもよい。ＧＳＰＳとは、画像を表示するためのパラメータを、通信機能によって取得する機能である。
【０１４０】
例えば、このＧＳＰＳの機能を適用し、第１の実施形態で示したアーカイブマーク付与条件リストに記載された送信先の解像度を定期的に監視し、送信先の解像度に関する情報をアップロードすることができる。また、ＧＳＰＳの機能は、送信先の解像度に限定されるものではなく、ＰＡＣＳやＷＳにおけるパラメータの更新や注釈などの付加情報にも適用可能である。
【０１４１】
（他の実施形態２）
第１から第５の実施形態以外の他の実施形態として、例えば、画像サイズの設定を所定の方法で設定して、自動的に送信確認ダイアログを生成し、自動的にアーカイブマークを付与するようにしてもよい。
【０１４２】
例えば、Ｘ線ＣＴ装置１００において、操作部１５と表示部５とにより撮像コンソールを構成し、初期に設定した画像サイズで画像データを転送する自動転送モードを設定し、その画像データを送信する際にはアーカイブマークが自動的に付与されるようにすることができる。また、送信確認ダイアログは、送信確認のための表示に限定されず、自動送信後のダイアログであってもよい。
【０１４３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１４４】
１  条件記憶部
２  送信要求受付部
３  マーク付与部
４  表示制御部
５  表示部
６  画像保存部
７  画像送信部
１０  医用画像収集装置
１１０  Ｘ線撮影部
１００  Ｘ線ＣＴ装置
２００、３００、４００  ＰＡＣＳ
５００、６００  ＷＳ
７００  ネットワーク
８００  画像データ転送システム
【図１】
0006513406.tif 000002
【図２】
0006513406.tif 000003
【図３】
0006513406.tif 000004
【図４】
0006513406.tif 000005
【図５】
0006513406.tif 000006
【図６】
0006513406.tif 000007
【図７】
0006513406.tif 000008
【図８】
0006513406.tif 000009
【図９】
0006513406.tif 000010
【図１０】
0006513406.tif 000011
【図１１】
0006513406.tif 000012
【図１２】
0006513406.tif 000013
【図１３】
0006513406.tif 000014
【図１４】
0006513406.tif 000015
【図１５】
0006513406.tif 000016
【図１６】
0006513406.tif 000017